(57)【要約】      （修正有）【課題】  固定が十分であり、使用中に脱落しない男性用避妊具を提供すること。【解決手段】  陰茎１の亀頭部１ａを被覆するように構成された袋状本体２の開口周縁部２ａに、亀頭部１ａと基部１ｂとの境界段部１ｃ若しくはその近傍に囲繞状態で配される縛り固定用の紐体３を配設する紐体配設部４が設けられ、この縛り固定用の紐体３は適宜な紙製の紐体３である。紙は和紙が好ましく、袋状本体２と紐体配設部４は分離可能であってもよい。【選択図】      図１
2006280622.tif 000002
【特許請求の範囲】
【請求項１】
陰茎の亀頭部を被覆するように構成された袋状本体の開口周縁部に、亀頭部と基部との境界段部若しくはその近傍に囲繞状態で配される縛り固定用の紐体を配設する紐体配設部が設けられ、この縛り固定用の紐体は適宜な紙製の紐体であることを特徴とする男性用避妊具。
【請求項２】
請求項１記載の男性用避妊具において、前記縛り固定用の紐体は、和紙製の紐体であることを特徴とする男性用避妊具。
【請求項３】
請求項１，２いずれか１項に記載の男性用避妊具において、前記紐体配設部は、前記袋状本体の開口周縁部を折り返して前記縛り固定用の紐体が挿通配設される管状の紐体配設部であることを特徴とする男性用避妊具。
【請求項４】
請求項３記載の男性用避妊具において、前記紐体配設部には、該紐体配設部に挿通配設された縛り固定用の紐体の左右端部夫々を外部に露出せしめる開口部が設けられ、この開口部から露出する縛り固定用の紐体の左右端部同志を結んで縛り固定せしめる構成としたことを特徴とする男性用避妊具。
【請求項５】
請求項４記載の男性用避妊具において、前記開口部の開口縁形状を正面視円形状としたことを特徴とする男性用避妊具。
【請求項６】
請求項１〜５いずれか１項に記載の男性用避妊具において、袋状本体と紐体配設部とは分離可能に構成されていることを特徴とする男性用避妊具。
【発明の詳細な説明】
【技術分野】
【０００１】
本発明は、男性用避妊具に関するものである。
【背景技術】
【０００２】
近年、エイズの蔓延が大きな社会問題となっており、エイズ感染防止の為、男性用避妊具（コンドーム）の着用が呼びかけられているが、若年層にはエイズ問題の意識の低さがあり、また、男性用避妊具を装着した場合の不快感などの理由から男性用避妊具の使用率が低く、エイズの蔓延は阻止できていないのが現状である。
【０００３】
そこで、従来においてもこの男性用避妊具について研究され、装着による不快感を緩和すべく、特開２００２−２８１７４号や特開２００３−６３０号に開示される男性用避妊具（以下、従来例）が提案されている。
【０００４】
これらの従来例は、亀頭部のみに被覆するタイプであり、精子の漏れや性病の感染を防止することができ、陰茎の露出部位を広く確保することで良好な使用感を得ようとするものである。
【０００５】
【特許文献１】特開２００２−２８１７４号公報
【特許文献２】特開２００３−６３０号公報
【発明の開示】
【発明が解決しようとする課題】
【０００６】
ところが、従来例は、いずれも陰茎への固定が不十分であり、外れ易く使用中に脱落してしまうという致命的な問題点がある。
【０００７】
本発明は、上述の問題点を解決する画期的な男性用避妊具を提供する。
【課題を解決するための手段】
【０００８】
添付図面を参照して本発明の要旨を説明する。
【０００９】
陰茎１の亀頭部１ａを被覆するように構成された袋状本体２の開口周縁部２ａに、亀頭部１ａと基部１ｂとの境界段部１ｃ若しくはその近傍に囲繞状態で配される縛り固定用の紐体３を配設する紐体配設部４が設けられ、この縛り固定用の紐体３は適宜な紙製の紐体３であることを特徴とする男性用避妊具に係るものである。
【００１０】
また、請求項１記載の男性用避妊具において、前記縛り固定用の紐体３は、和紙製の紐体３であることを特徴とする男性用避妊具に係るものである。
【００１１】
また、請求項１，２いずれか１項に記載の男性用避妊具において、前記紐体配設部４は、前記袋状本体２の開口周縁部２ａを折り返して前記縛り固定用の紐体３が挿通配設される管状の紐体配設部４であることを特徴とする男性用避妊具に係るものである。
【００１２】
また、請求項３記載の男性用避妊具において、前記紐体配設部４には、該紐体配設部４に挿通配設された縛り固定用の紐体３の左右端部３ａ，３ｂ夫々を外部に露出せしめる開口部４ａが設けられ、この開口部４ａから露出する縛り固定用の紐体３の左右端部３ａ，３ｂ同志を結んで縛り固定せしめる構成としたことを特徴とする男性用避妊具に係るものである。
【００１３】
また、請求項４記載の男性用避妊具において、前記開口部４ａの開口縁形状を正面視円形状としたことを特徴とする男性用避妊具に係るものである。
【００１４】
また、請求項１〜５いずれか１項に記載の男性用避妊具において、袋状本体２と紐体配設部４とは分離可能に構成されていることを特徴とする男性用避妊具に係るものである。
【発明の効果】
【００１５】
本発明は上述のように構成したから、前述した従来例と異なり、陰茎への堅固な固定が達成されて使用中の脱落を可及的に防止し得ることになり、しかも、違和感の無い良好な装着状態が得られると共に、皮膚に接触した感覚も極めて良好であるから使用時に不快感を感じることが無く、ひいては避妊具の使用率の向上が望め、種々の問題解消にも貢献することになるなど従来にない作用効果を発揮する画期的な男性用避妊具となる。
【発明を実施するための最良の形態】
【００１６】
好適と考える本発明の実施形態を、図面に基づいて本発明の作用を示して簡単に説明する。
【００１７】
本発明は、陰茎１の亀頭部１ａに袋状本体２を被覆し、この状態で亀頭部１ａと基部１ｂとの境界段部１ｃ若しくはその近傍に囲繞状態で配される紐体配設部４に配設された縛り固定用の紐体３を縛り固定せしめて装着する。
【００１８】
従って、縛り固定用の紐体３で縛り固定する構成であるから、堅固な装着状態が得られることになり、しかも、縛り固定用の紐体３が適宜な紙製であるため違和感の無い良好な装着状態が得られると共に、皮膚に接触した感覚も極めて良好であるから使用時に不快感を感じることが無い。
【００１９】
また、縛り固定用の紐体３は紙製故に吸水性を有するから、この縛り固定用の紐体３が水分（体液）を吸うことにより、引き締まることで縛り固定がより一層堅固となり、しかも、フィット感が向上することでより一層装着時に違和感を感じたり、使用時に不快感を感じたりすることがなくなる。
【実施例】
【００２０】
本発明の具体的な実施例について図面に基づいて説明する。
【００２１】
本実施例は、陰茎１の亀頭部１ａを被覆するように構成された袋状本体２の開口周縁部２ａに、亀頭部１ａと基部１ｂとの境界段部１ｃ若しくはその近傍に囲繞状態で配される縛り固定用の紐体３を配設する紐体配設部４が設けられ、この縛り固定用の紐体３を適宜な紙製の紐体３としたものである。
【００２２】
以下、本実施例に係る構成各部について詳細な説明をする。
【００２３】
袋状本体２は、図１〜４に図示したように適宜な合成樹脂製の部材（従来からこの種の物品において一般に使用されるラテックスゴム）を袋状に形成したものであり、陰茎１の亀頭部１ａに合致する形状に形成されている。
【００２４】
また、袋状本体２の開口周縁部２ａには紐体配設部４が設けられている。
【００２５】
具体的には、この紐体配設部４は、図４に図示したように袋状本体２の開口周縁部２ａを折り返して縛り固定用の紐体３を挿通配設し得る管状に形成されており、亀頭部１ａと基部１ｂとの境界段部１ｃ（くびれ部位）に囲繞状態で配されるように構成されている。
【００２６】
また、紐体配設部４は、その所定位置に貫通孔４ａが形成されており、この貫通孔４ａは、紐体３の通過を許容して紐体配設部４に挿通配設された縛り固定用の紐体３の左右端部３ａ，３ｂ夫々を外部に露出可能とする開口部４ａとして構成されている。
【００２７】
従って、この開口部４ａから縛り固定用の紐体３を挿入して紐体配設部４の全体に挿通配設し、この紐体配設部４を通過した縛り固定用の紐体３の先端部３ａを開口部４ａから外部に出すことができ、この開口部４ａから露出する縛り固定用の紐体３の左右端部３ａ，３ｂ同志を結んで紐体配設部４を径縮することで亀頭部１ａと基部１ｂとの境界段部１ｃ若しくはその近傍に縛り固定せしめることができる。
【００２８】
この縛り固定用の紐体３で縛り固定する固定手段を採用することで、陰茎１に対する堅固な固定が達成されるのは勿論、縛り固定することによっての亀頭部１の肥大効果（膨張効果）が得られることにもなる。
【００２９】
尚、袋状本体２と紐体配設部４との境界部、また、袋状本体２の先端側位置に切離し易い環状の切離部位を設けておいても良く、この場合、必要に応じてこの切離部位に沿って切離することで亀頭部１ａが露出する状態が得られることになり、亀頭部１ａを肥大させる効果が得られることになる。
【００３０】
また、紐体配設部４の開口部４ａは、その開口縁形状を正面視円形状としている。
【００３１】
これは縛り固定用の紐体３が開口部４ａの縁に擦れる際の抵抗を低減することで該縛り固定用の紐体３が切断してしまうのを可及的に防止するための構成である。
【００３２】
縛り固定用の紐体３は、図５に図示したように帯状の和紙５を撚って紐状に形成している。
【００３３】
出願人は、和紙製の紐体３は、非常に吸水性に秀れ、結び易く、結び目が皮膚に接触した感覚が極めて良好であることを確認している（特に水分（体液）を吸うことにより、引き締まることで縛り固定が堅固となり、しかも、フィット感が向上することで良好な装着状態が得られる。）。
【００３４】
尚、縛り固定用の紐体３の直径が１ｍｍ以下の場合には切断してしまう場合があり、この場合、縛り固定用の紐体３の強度向上を目的として適宜な防水液による防水加工を施しても良い。
【００３５】
本実施例は上述のように構成したから、陰茎１の亀頭部１ａに袋状本体２を被覆し、この状態で亀頭部１ａと基部１ｂとの境界段部１ｃに囲繞状態で配される紐体配設部４に配設された縛り固定用の紐体３を縛り固定せしめて亀頭部１ａに装着する。
【００３６】
よって、本実施例によれば、紐体３で縛り固定する構成であるから、堅固な装着状態が得られることになりしかも、紐体３が適宜な紙製であるため違和感の無い良好な装着状態が得られると共に、皮膚に接触した感覚も極めて良好であるから使用時に不快感を感じることが無い。
【００３７】
また、縛り固定用の紐体３は紙製故に吸水性を有するから、この縛り固定用の紐体３が水分（体液）を吸うことにより、引き締まることで縛り固定がより一層堅固となり、しかも、フィット感が向上することでより一層装着時に違和感を感じたり、使用時に不快感を感じたりすることがなくなる。
【００３８】
また、本実施例は、紐体３として和紙製の紐体３を採用したから、より一層良好な装着状態が得られると共に、皮膚に接触しても不快感を感じることが無い。
【００３９】
また、本実施例は、袋状本体２の開口周縁部２ａを折り返して前記紐体３を挿通配設し得る管状の紐体配設部４を設けたから、紐体３の露出度を可及的に減らして皮膚への接触を可及的に低減することができ、しかも、簡易構造故にコスト安にして量産性に秀れることになる。
【００４０】
また、本実施例は、紐体配設部４には、該紐体配設部４に挿通配設された縛り固定用の紐体３の左右端部３ａ，３ｂ夫々を外部に露出せしめる開口部４ａが設けられ、この開口部４ａから露出する縛り固定用の紐体３の左右端部３ａ，３ｂ同志を結んで縛り固定せしめる構成としたから、亀頭部１ａに対する堅固な装着が簡易且つ迅速に行なえることになる。
【００４１】
また、本実施例は、紐体配設部４の開口部４ａの開口縁形状を正面視円形状としたから、紐体３の切断を可及的に防止することでより一層亀頭部１ａからの脱落を防止し得ることになる。
【００４２】
また、本実施例は、袋状本体２と紐体配設部４とは分離可能に構成されているから、それだけ亀頭部１ａの肥大化を妨げるものが無く、亀頭部１ａを良好に肥大させる効果が得られることになる。
【００４３】
尚、本発明は、本実施例に限られるものではなく、各構成要件の具体的構成は適宜設計し得るものである。
【図面の簡単な説明】
【００４４】
【図１】本実施例を説明する斜視図である。
【図２】本実施例の使用状態説明図である。
【図３】本実施例の使用状態説明図である。
【図４】本実施例に係る要部の拡大説明図である。
【図５】本実施例に係る要部の説明図である。
【符号の説明】
【００４５】
１  陰茎
１ａ  亀頭部
１ｂ  基部
１ｃ  境界段部
２  袋状本体
２ａ  開口周縁部
３  縛り固定用の紐体
３ａ  左端部
３ｂ  右端部
４  紐体配設部
４ａ  開口部
【図１】
2006280622.tif 000003
【図２】
2006280622.tif 000004
【図３】
2006280622.tif 000005
【図４】
2006280622.tif 000006
【図５】
2006280622.tif 000007